(57)【特許請求の範囲】
【請求項１】
選択されたタイプの測定を識別する測定タイプフィールドと測定持続期間を識別する持続長フィールドとを含む測定要求メッセージを受信し、前記測定持続期間が強制的なものであるか又は非強制的なものであるかを決定するように構成されたプロセッサ、を具備する装置であって、
前記プロセッサは、前記測定持続期間が強制的なものであると決定したときに、前記持続長フィールドにおいて指定された前記測定持続期間の長さと同様である測定期間の長さの間において測定を実行するように構成されており、
前記プロセッサは、前記測定持続期間が非強制的なものであると決定したときに、前記測定持続期間の長さより短い測定期間の長さの間において測定を選択可能に実行するように構成されている、
ことを特徴とする装置。
【請求項２】
前記プロセッサが、前記測定要求メッセージの前記測定タイプフィールド及び前記持続長フィールドを占める値であって前記タイプの測定及び前記測定持続期間の長さを識別するために用いられる値を検出するように構成される、請求項１に記載の装置。
【請求項３】
前記測定要求メッセージが、前記プロセッサが第２測定指示を識別するために用いる第２持続長フィールドを含み、
前記持続長フィールドにおいて識別された前記測定持続期間が、前記測定タイプフィールドにおいて識別された前記測定の持続長を含み、
前記プロセッサは、前記第２測定指示の少なくとも１つの値を調べて、前記第１測定持続期間が第２の装置により命じられたものであるかどうかを決定する、請求項１に記載の装置。
【請求項４】
前記第２測定指示が第２測定持続期間及び第２持続長フィールドを含み、
前記少なくとも１つの値が前記持続長フィールドの前記測定持続期間の前記値より小さい大きさを有する、請求項３に記載の装置。
【請求項５】
前記プロセッサが、さらに、前記測定持続期間の前記値を調べ、所望された持続期間を識別するように構成され、
前記第２測定持続期間の前記少なくとも１つの値が最小持続期間を定める、請求項４に記載の装置。
【請求項６】
前記プロセッサが、さらに、第２の装置に送信される応答メッセージを生成するように構成される、請求項１に記載の装置。
【請求項７】
前記応答メッセージは、前記第２の装置により要求された測定が実行されなかったことを示す情報を含む、請求項６に記載の装置。
【請求項８】
前記プロセッサは、さらに、第２の装置に届けられる応答メッセージであって、前記測定が実行される測定持続期間の実際の持続長を示す情報を含む応答メッセージ、を生成するように構成される、請求項６に記載の装置。
【請求項９】
前記プロセッサは、さらに、前記測定持続期間が強制的なものであるか又は非強制的なものであるかを、当該装置の利用可能なリソースに少なくとも部分的に基づいて決定するように構成される、請求項１に記載の装置。
【請求項１０】
前記プロセッサは、前記測定持続期間が強制的なものであると決定したときに、前記測定を前記測定持続期間内で実行することができるかどうかを決定し、
前記プロセッサは、前記測定を前記測定持続期間内で実行することができない場合に、前記測定要求メッセージに含まれた測定要求を拒否するように構成される、請求項１に記載の装置。
【請求項１１】
前記プロセッサは、前記測定持続期間が非強制的なものであると決定したときに、前記持続長フィールドが、提案された測定持続期間と、前記測定を要求する第２の装置に受け入れられうる最小の測定期間を識別する最小測定期間と、の両方を含むことを決定するように構成される、請求項１に記載の装置。
【請求項１２】
選択されたタイプの測定を識別する測定タイプフィールドと測定持続期間を識別する持続長フィールドとを含む測定要求メッセージを受信する段階と、
前記測定持続期間が強制的なものであるか又は非強制的なものであるかを決定する段階と、
前記決定によって前記測定持続期間が強制的なものであるということが明らかになったときに、前記持続長フィールドに指定された前記測定持続期間の長さと同様である測定期間の長さの間において測定を実行する段階と、
前記決定によって前記測定持続期間が非強制的なものであるということが明らかになったときに、前記測定持続期間の長さより短い測定期間の長さの間において測定を選択可能に実行する段階と、
を含むことを特徴とする方法。
【請求項１３】
前記測定要求メッセージの前記測定タイプフィールド及び前記持続長フィールドを示す値を検出する段階と、
該値を用いて前記タイプの測定及び前記測定持続期間の長さを識別する段階と、
をさらに含む、請求項１２に記載の方法。
【請求項１４】
前記測定要求メッセージが第２持続長フィールドを含む請求項１２に記載の方法であって、
さらに、前記第２持続長フィールドを用いて第２測定指示を識別する段階を含み、
前記持続長フィールドにおいて識別された前記測定持続期間が前記測定タイプフィールドにおいて識別された前記測定の持続長を含み、
さらに、前記第２測定指示の少なくとも１つの値を調べて前記第１測定持続期間が装置により命じられたものであるかどうかを決定する段階を含む方法。
【請求項１５】
前記第２測定指示が第２測定持続期間及び第２持続長フィールドを含む請求項１３に記載の方法であって、
さらに、前記少なくとも１つの値が前記持続長フィールドの前記測定持続期間の前記値より小さい大きさを有する、ということを決定する段階を含む方法。
【請求項１６】
前記測定持続期間の前記値を調べ、所望された持続期間を識別する段階と、
前記第２測定持続期間の前記少なくとも１つの値を用いて最小持続期間を定める段階と、
をさらに含む、請求項１４に記載の方法。
【請求項１７】
前記所望された持続期間が前記最小持続期間より長い期間を含む、請求項１４に記載の方法。
【請求項１８】
装置に送信される応答メッセージを生成する段階をさらに含む、請求項１２に記載の方法。
【請求項１９】
前記装置により要求された測定が実行されなかったことを示す前記応答メッセージにおける情報を評価する段階をさらに含む、請求項１８に記載の方法。
【請求項２０】
前記応答メッセージは、前記測定が実行される測定持続期間の実際の長さを示す情報を含む、請求項１８に記載の方法。
【請求項２１】
前記測定持続期間が強制的なものであるか又は非強制的なものであるかを、装置の利用可能なリソースに少なくとも部分的に基づいて決定する段階をさらに含む、請求項１２に記載の方法。
【請求項２２】
前記決定により前記測定が強制的なものであることが明らかになったときに、前記測定を前記測定持続期間内で実行できるかどうかを決定し、前記測定を前記測定持続期間内で実行できない場合に、前記測定要求メッセージに含まれた測定要求を拒絶する、請求項１２に記載の方法。
【請求項２３】
前記決定により前記測定持続期間が非強制的なものであることが明らかになったときに、前記持続長フィールドが、提案された測定持続期間と、前記測定を要求する装置により受け入れられうる最小測定期間を識別する最小測定持続期間と、の両方を含む、請求項１２に記載の方法。
【請求項２４】
コンピュータにより読み取り可能なプログラムコード部分を記憶した少なくとも１つのコンピュータにより読み取り可能な記憶媒体を具備するコンピュータプログラム製品であって、
該コンピュータにより読み取り可能なプログラムコード部分が、
選択されたタイプの測定を識別する測定タイプフィールドと測定持続期間を識別する持続長フィールドとを含む測定要求メッセージを受信するための第１の実行可能なコード部分と、
前記測定持続期間が強制的なものであるか又は非強制的なものであるかを決定するための第２の実行可能なコード部分と、
前記決定によって前記測定持続期間が強制的なものであるということが明らかになったときに、前記持続長フィールドに指定された前記測定持続期間の長さと同様である測定持続期間の長さの間において前記測定を実行するための第３の実行可能なコード部分と、
前記決定によって前記測定持続期間が非強制的なものであるということが明らかになったときに、前記測定持続期間の前記長さより短い測定期間の長さの間において前記測定を選択可能に実行するための第４の実行可能なコード部分と、
を具備する、
ことを特徴とするコンピュータプログラム製品。
【請求項２５】
前記測定要求メッセージの前記測定タイプフィールド及び前記持続長フィールドを占める値を検出するための第５の実行可能なコード部分と、
前記値を用いて前記タイプの測定及び前記測定持続期間の長さを識別するための第６の実行可能な部分と、
をさらに具備する、請求項２４に記載のコンピュータプログラム製品。
【請求項２６】
選択されたタイプの測定を識別する測定タイプフィールドと測定持続期間を識別する持続長フィールドとを含む測定要求メッセージを受信する手段と、
前記測定持続期間が強制的なものであるか又は非強制的なものであるかを決定する手段と、
を具備し、
前記決定する手段は、前記測定持続期間が強制的なものであると決定したときに、前記持続長フィールドに指定された前記測定持続期間の長さと同様の測定期間の長さの間において前記測定を実行し、
前記決定する手段は、前記測定持続期間が非強制的なものであると決定したときに、前記測定持続期間の長さより短い測定器間の長さの間において前記測定を実行する、
ことを特徴とする装置。
【請求項２７】
前記測定要求メッセージの前記測定タイプフィールド及び前記持続長フィールドを占める値を検出する手段と、
該値を用いて前記タイプの測定及び前記測定持続期間を識別する手段と、
をさらに具備する、請求項２６に記載の装置。
【発明の詳細な説明】
【技術分野】
【０００１】
本発明は、全般的には、ＩＥＥＥ ８０２．１１通信規格の変形の動作プロトコルと順応して動作できるワイヤレス・ローカル・エリア・ネットワーク等の無線通信システムにおいて、通信を促進すべく使用される無線リソース情報の測定を促進するための方式に関する。より詳細には、本発明は、無線通信システムにおいて動作する無線局によって測定された無線リソース測定情報を要求して獲得するための装置及び関連方法に関する。
【０００２】
測定要求は第１通信局で生成されて、第２通信局に送信され、そこで測定が実行されることになる。この測定要求は要求されている測定のタイプと、測定が為されるべく要求される測定期間とを識別する。その測定期間は、選択可能に、強制的であるか或は推奨される。第２通信局へ配送されると、その測定が要求で示された全期間に対して為され得るかが決定される。もしそうであれば、測定が実行される。もしそうでなければ、その測定要求が選択された期間を命じるか否かに依存して、或は、より短い期間中の測定が十分であるかに依存して、要求された測定をより短い期間中に実行すべきかが更に決定される。
【背景技術】
【０００３】
通信テクノロジーにおける進歩は、新タイプの通信システムの開発、インストール、並びに、使用を許容してきた。それらの使用は現代社会の特有の局面であり、データ通信を仲介するそうした通信システムの使用は大多数にとって実用的に不可欠である。
【０００４】
こうした進歩は、例えば、無線通信システム内に組み込まれてきた。無線通信システムにおいて、その中で動作可能である複数の通信局を相互接続する通信チャネルは有線接続上よりもむしろ無線リンク上に形成される。無線リンクは利用されて、その上に通信チャネルを形成しているので、従来の有線通信システムの複数の通信チャネル間に従来の有線接続を設定する必要性が回避されている。通信システムの送信及び受信の局の間に有線接続を形成する必要性を免除された無線通信システムは、複数の通信局の間の有線接続の形成が可能ではない複数個所の間での通信を許容している。加えて、無線通信システムは、１つ或はそれ以上の通信局が通信移動性を具備しているモバイル通信システムとして具現化の責務を負っている。
【０００５】
多くの通信システムはディジタル通信テクノロジーを活用している。ディジタル通信テクノロジーの使用は、アナログ通信テクノロジーの使用を介して通信されるときよりも、より効率的にデータを通信させることを可能としている。無線通信システムは、典型的には、帯域幅が抑制されている。換言すれば、無線通信システムには、典型的には、無線チャネルを規定することになる限定された帯域幅割り当てだけが設けられている。それ故に一般的には、特に無線通信システムにおいて、それに割り当てられたスペクトルを効率的な方式で利用して、それによって通信システムの通信能力を最大化する必要がある。ディジタル通信テクノロジーを利用する通信システムにおいて通信される情報はディジタル化されている。１つの共通テクノロジーにおいて、ディジタル化情報は選択されたパケット・フォーマッティング方式に従ったパケットにフォーマットされる。それらパケットは通信を達成すべく通信される。パケットから成る個々別々のもの或はグループは個別的な間隔でしばしば通信される。ひとたび受信局に配送されると、データ・パケットは順々に配列されて、全体的に鎖状につなげられる。通信されたデータの情報内容は回復させられる。
【０００６】
パケット-フォーマットされたデータを利用する通信システムは従来のＬＡＮ（ローカル・エリア・ネットワーク）を含む。有線ＬＡＮと類似の方式で動作するワイヤレス・ネットワークも開発されてきた。ＷＬＡＮ（ワイヤレス・ローカル・エリア・ネットワーク）として呼称されるこれらワイヤレス・ネットワークは、無線リンク上に規定された無線チャネルによってデータ・パケットを通信すべく利用され、それによって通信セッションへの団体である通信局の間の通信を達成する。
【０００７】
他のタイプの通信システムと共に、ＷＬＡＮは、しばしば、ＩＥＥＥ（電気電子技術者学会）８０２．１１動作規格の変形に順応して動作できるように構成されている。動作プロトコルの種々の局面は動作規格内における含有に対する考慮を経験する。
【０００８】
例えば、無線リソース測定手続きに関連された提案は請求され動作規格における包含に対して考慮される。無線リソース管理動作は様々な測定パラメータの測定を通じて促進される。改善された無線リソース管理を促進することによって、通信システムにおける改善された通信動作が可能である。
【０００９】
動作規格の既存の公表において、無線リソース測定を要求或は通信することになる方式と関係するプロトコルは指定解除される。無線リソース測定は、しばしば、ＷＬＡＮの一方の通信局によって実行されるべきＷＬＡＮの他方の通信局によって要求される。例えば要求は、測定を為すべく、移動局に対するその移動局の固定ネットワーク・アクセス・ポイントによって為される。測定はアクセス点によって為されるべく、移動局によってしばしば要求される。しばしばの要求は無線リソース測定を為すべく、別の移動局に対する他方の移動局で為される。
【００１０】
幾つかの測定値は、測定の持続時間が知られると、重要であるか、或は、重要性が増大されている。換言すれば、測定期間は測定値と規則正しく関連されている。意味を持つべく測定値に対して、その測定値は少なくとも指定された期間にわたって測定されなければならない。無線信号強度測定値はある期間にわたって平均化されて、信号強度レベルのより良好なサンプリングを獲得する。他の測定値もある期間にわたって測定された際に同じように有用性が増大されている。それ故に、無線リソース測定要求は、為されるべきである測定だけでなく、期間、即ち、測定が為されるべき期間である持続時間を指定すべきである。
【００１１】
測定値の測定品質が、より長い測定期間にわたって測定されると、一般的には増大される一方で、測定を為すべく測定が為される通信局の有効性は限定され得る。要求された測定期間が許容できない程に長ければ、測定が為されるべき通信局は測定を実行しないように選択する。換言すれば、要求局が過剰に長い測定持続時間にわたって値の測定に対する測定要求を為せば、被要求局はその要求に応ずることができず、その測定要求を拒絶する。
【００１２】
測定要求が拒絶されれば、引き続く要求がより短い長さの測定期間を識別する要求通信局によって為され得る。その被要求通信局は、そのより短い長さの測定にわたって測定を実行すべきか否かを選択する。その手続きの多数の反復は、許容できる測定期間中に測定を実行する選択に先行して実行され得る。この試み及び過誤手続きは本質的には非効率的、リソース消費的、並びに、時間消費的である。
【００１３】
改善された無線リソース測定手続きは、それ故に、必要とされる。
【００１４】
無線通信システムにおける無線リソース測定と関係されたこの背景情報の観点から、本発明の重要な改善が発展した。
【発明の開示】
【発明が解決しようとする課題】
【００１５】
したがって、本発明は、ＩＥＥＥ８０２．１１通信規格の変形に順応して動作できるワイヤレス・ローカル・エリア・ネットワーク等の無線通信システムにおいて通信を促進すべく使用される無線リソース情報の測定を促進することになる装置と関連された方法とを有益性をもって提供する。
【００１６】
本発明の一実施例の動作を通じて、無線通信システムにおいて動作する通信局によって測定される無線リソース測定情報を要求し獲得する方式が提供される。
【課題を解決するための手段】
【００１７】
本発明の一局面において、測定要求は第１局、即ち要求局で生成されて、第２通信局、即ち被要求局に送信されて、そこで測定が実行されることになる。要求局で生成されたその測定要求は被要求局で実行されるべく要求される測定のタイプを識別すると共に、その測定が為されるべく要求される測定期間をも識別する。
【００１８】
要求通信局によって生成された測定要求において識別される測定期間は、強制的或はボリティブ(bolitive)、即ち非強制的である。その識別された測定期間が強制的である場合、被通信局が要求された測定を実行しようとする測定期間の持続時間は要求局によって命ぜられる。被要求局がその識別された測定期間中に要求された測定を実行できなければ、その測定期間要求を強制的と為すことによって要求局は、当該要求局が、被要求通信局が要求された測定期間の全体の間にその測定を実行することができないのであれば、強制的で要求された測定期間において、指定されたものよりもより短い時間期間にわたって測定された測定結果を利用することを望まないことを示す。逆に、その要求において識別された測定期間が非強制的であって、推奨のみされるものであれば、被要求通信局は、要求された測定期間の全体の間に要求された測定を実行できなければ、より短い長さの測定期間中に要求された測定を選択可能に実行する。
【００１９】
本発明の別の局面において、要求局によって生成された測定要求を含むメッセージが被要求通信局に配送され、該被要求通信局で検出されると、その通信局は要求された測定のタイプを確認すると共に、要求された測定期間をも確認する。被要求通信局は、その要求された測定期間が強制的であるか或は推奨されるものであるかを確認する。要求された測定が実行され得るものか、その要求された測定が要求された測定期間中に実行され得るものかの決定がその通信局で為される。
【００２０】
被要求通信局が要求された測定期間の全体にわたってその要求された測定を実行及び選択する場合、通信局は要求された測定持続期間の全体と対応する、測定間隔にわたって測定された要求された測定を実行する。しかしながら、被要求通信局が要求された測定期間の全体にわたってその要求された測定を実行できず、選択しなければ、要求通信局が要求されたものよりも短い期間中に実行される測定を許容するかが付加的に決定される。換言すれば、その通信局は、測定要求メッセージに含まれる要求された期間が強制的であるか或は非強制的であるかを決定する。その測定期間が強制的であれば、その通信局は測定要求を拒絶して、要求された測定を実行しない。一具現化例において、拒絶メッセージは要求通信局に更に戻される。しかしながら、要求された測定期間が非強制的であれば、被要求通信局はその被要求通信局が要求された測定を実行できるのはどのような期間であるかを更に決定する。被要求通信局がより短い期間中に要求された測定を実行できれば、被要求通信局はその有効期間中に要求された測定を実行することを選択する。
【００２１】
本発明の更なる局面において、測定が為される場所である通信局は、被要求通信局によって為される測定について報告する要求通信局への復帰のために測定報告を生成する。測定持続時間が要求された測定期間より短ければ、測定が為される測定期間の持続時間の指示等の、反応メッセージ内に、付加的な情報が選択可能に更に識別される。
【００２２】
一具現化例において、ワイヤレス・ローカル・エリア・ネットワーク等のＩＥＥＥ８０２．１１動作仕様の変形に全般的には順応して動作可能である無線通信システムにおいて、測定が要求されて実行される。ＷＬＡＮにおいて固定された下部組織は、移動局が通信するアクセス・ポイントとしてしばしば呼称される固定サイト・トランシーバを含む。アクセス・ポイント及び移動局の各々は要求ステーショを形成することできる。またアクセス・ポイント及び移動局の各々は被要求局をも形成することができる。アクセス・ポイントが要求局を形成すると、要求メッセージがアクセス・ポイントで生成されて、被要求局を形成する移動局と通信する。測定動作は移動局で選択可能に実行され、測定動作が移動局で実行されれば、応答メッセージがアクセス・ポイントへの復帰のために生成される。移動局が要求局を形成すると、要求メッセージがそこで生成されて、アクセス・ポイント或は別の移動局の何れかである被要求局と通信される。被要求局を形成する通信局は要求された測定を選択可能に実行して、少なくとも被要求局が要求された測定を実行する場合に、応答メッセージを戻す。
【００２３】
メッセージ要求は、測定期間が強制的であるかを指定する。或は逆に、そのメッセージは、要求された測定期間が非強制的測定期間であることを指定する。非強制的であれば、被要求局は短縮された測定期間中にその要求された測定を実行でき、被要求局は短縮期間中に測定を実行するだけか、或は、該測定を実行すべく選択だけを為すことができる。要求局に付加的なシグナリングをする必要性無しに、被要求局で選択が為され、無線リソース測定手続きに従って必要とされるオーバーヘッドシグナリングを低減し、それによって、要求された持続期間が被要求局によって実行されなければ、測定の持続時間を選択すべく必要とされる時間を低減する。
【００２４】
それ故に、以上の局面や他の局面において、装置及び関連方法が第１通信局に対して提供される。メッセージ生成器は第１通信局で実施される。このメッセージ生成器は測定要求メッセージを生成する。その測定要求メッセージは、測定の選択されたタイプを識別するための測定フィールドと第１測定持続期間を識別するための第１持続長フィールドとを含むべくフォーマットされる。フィールド占有器は、測定の選択されたタイプと第１測定持続期間とを識別する値で測定要求メッセージの測定タイプ・フィールドと第１持続長フィールドとを占有する。
【００２５】
本発明のより完全な理解とその範囲とは以下に簡潔に要約された添付図面、本発明の現行での好適実施例の以下の詳細な記載、並びに、特許請求の範囲から獲得され得る。
【発明を実施するための最良の形態】
【００２６】
先ず図１を参照すると、全般的１０で示される無線通信局は、その内の移動局１２で表される複数の移動局との無線通信用に提供されている。例示的な具現化例において、無線通信システムはＩＥＥＥ８０２．１１動作仕様の変形に順応して全般的に動作するワイヤレス・ローカル・エリア・ネットワーク（ＷＬＡＮ）を形成する。ワイヤレス・ローカル・エリア・ネットワークにおいて、アクセス・ポイントと呼称されて、ＷＬＡＮのネットワーク下部組織の部分を形成する固定サイト無線トランシーバによって、移動局との通信が達成される。通信局１４は、ワイヤレス・ローカル・エリア・ネットワークの例示的なアクセス・ポイントを表している。
【００２７】
より一般的には、無線通信システムは、無線チャネルによって相互接続された通信局間でデータが通信されている様々なタイプの通信システムの内の任意のものを表している。したがって、以下の記載はワイヤレス・ローカル・エリア・ネットワークにおける具現化に対する本発明の実施例の例示的動作を記載している一方で、理解して頂きたいことは、本発明の教示が他の構造の通信システムにおいて類似的に具現化可能であると共に、他の動作規格に従って動作可能である。
【００２８】
データがその上で通信される無線チャネルは、通信局１２及び１４の間に延在している無線エアーインタフェイスによって規定されている。ここで矢印１６は無線チャネルを表し、その上でデータが通信動作中に通信局によって通信されている。
【００２９】
通信局の各々、即ち、移動局及びアクセス・ポイントは通信データを送受信するための無線トランシーバ回路を含む。移動局の無線トランシーバ回路は、ここでは、受信部１８及び送信部２２によって表現されている。アクセス・ポイントの無線トランシーバ回路は、ここでは、受信部２４及び送信部２６によって表現されている。第２の例示的移動局１２も、受信部１８及び送信部２２によって表現された無線トランシーバ回路を含むように表現されている。通信システムの通信局のトランシーバ回路は、ＩＥＥＥ８０２．１１動作仕様において上述されたプロトコル及びパラメータと一般的に順応して動作できる。換言すれば、通信システムのネットワーク下部組織部で発せられるか或は該ネットワーク下部組織部に提供される通信データは、アクセス・ポイントの送信部によって移動局１２の適切な１つ或はそれ以上に向かって送信される。移動局の受信部は、そこに通信されるデータを検出して、該データに対して動作すべく動作する。同じように、移動局で発せられた通信データは、通信のために、その送信部によってアクセス・ポイント１４に送信される。アクセス・ポイントの受信部は、そこに送信された通信データを検出して、該通信データに対して動作すべく動作する。複数の移動局から成る集合も通信エンド・ポイントを形成できる。即ち、１つの移動局で発せられた通信データは別の移動局で終了される。従来のＷＬＡＮにおいて、移動局間で通信された通信データはネットワーク下部組織によって通信される。
【００３０】
先行して述べたように、様々な無線リソース指定の測定は、無線リソース管理を促進して、通信システムにおける通信動作の改善を許容する。無線リソース測定を要求し達成することになる現存の機構及び手続きは、シグナリングオーバーヘッド及び時間遅延の好ましくない高いレベルで影響を受けやすい。本発明の実施例に従えば、通信システム１０の通信局１２及び１４は装置３２を含み、該装置が、無線リソース測定動作を促進して、その無線リソース測定が従来の方式を用いるよりもより適時に且つ潜在的にはより劣ったシグナリングオーバーヘッド強度である方式で為されことができるように為す。この装置は、処理回路によって実行可能なアルゴリズムによって等、任意の所望方式で機能的には表現され具現化可能である。
【００３１】
図中に表現された装置３２は、通信局毎に実施される装置が無線リソース測定要求の生成を許容している例示的具現化例である。それら通信局毎に実施される装置は、無線リソース測定要求の受け入れ、拒絶、或は、変更を為すこともできる。他の具現化例における装置の要素的な部分は装置３２を構成する。換言すれば、簡略化具現化例において、装置３２は要求を生成する要素的部分或は要求を検出してそれに動作する要素的部分を含む。
【００３２】
したがって、ここでは、アクセス・ポイント１４で実施される装置３２は、無線リソース測定要求を形成すべく動作する要素３４と、無線リソース測定要求を検出してそれに対して動作すべく動作する要素３６との双方を含む。移動局１２で実施される装置３２も要素３４及び３６を含む。アクセス・ポイント１４で実施される要素３４は、移動局或は別のアクセス・ポイント（図面上に示されていない）等の、どこか別の場所で実施される要素３６と共同して動作する。アクセス・ポイント１４で実施される装置３２の要素３６は、移動局或は別のアクセス・ポイント（図面上に示されていない）等の、どこか別の場所で生成されてアクセス・ポイント１４に配送された要求を検出する。移動局で実施される装置３２の要素３４及び３６は、どこか別の場所に位置決めされた関連要素と共同して同じように動作できる。換言すれば、移動局１２で実施される装置３２の要素３４は、アクセス・ポイント１４によって、アクセス・ポイント１４或は別の移動局１２等の別の箇所に送信するための無線リソース要求メッセージを形成させる。移動局で実施される装置３２の要素３４は、別の場所から移動局１２に通信された要求を検出して、それに対して動作すべく動作する。
【００３３】
図２は、図１に示された通信システム１０の複数の通信局から成る集合を図示している。１２／１４で示された通信局は、図中に示される通信局各々のように移動局或はアクセス・ポイントの何れかを表現している。（図示のような）最左翼の通信局は要求局を形成し、（図示のような）最右翼の通信局被要求局を形成する。要求局は本発明の実施例の装置３２を含み、被要求局も本発明の実施例の装置３２を含む。また矢印１６は、通信局間に形成された無線エアーインタフェイス上に規定された無線チャネルを表している。
【００３４】
通信システムの動作中、無線リソースのパラメータ或は指定の測定が遠隔局、即ち被要求局で為されるべきであると云う決定が要求局で為されるか、或は、その決定が要求局に提供され、要素３４は無線リソース要求メッセージを生成させる。要素３４はメッセージ生成器４２を含み、それが、とりわけ、要求されている測定のタイプを識別するフィールドと要求された測定が為されることになる持続期間を識別するフィールドと、を含む測定要求メッセージを生成する。その要素は、要求された測定とその要求された持続時間とを識別する値で、要求メッセージのフィールドを占有するフィールド占有器４４を含む。要求された持続時間は、強制的持続時間或は被強制的であるが推奨される持続時間の何れかである。ひとたび形成されて値で占有されたならば、要求メッセージは送信部２２／２６に提供され、そのメッセージは被要求局への配送のために要求局によって通信されるように為される。被要求局と通信された測定要求メッセージは、被要求局で為されるように要求される測定のタイプと、選択可能に強制的或は非強制的な持続時間である測定が要求されることになる持続期間との双方を識別する。
【００３５】
メッセージは被要求局の受信部１８／２４に配送されて、そこで動作される。被要求局で実施される装置３２の検出器３６は受信部と結合される。この検出器３６は、測定要求メッセージのフィールドを占有する値を検出すべく動作する。検出器３６は、該検出器３６の動作中に検出された値の指示を受信すべく結合された選択器５２をも含む。この選択器は、要求メッセージにおいて識別された持続期間に対する要求メッセージ内で要求された測定を実行するかを選択すべく動作する。選択は、例えば、被要求局で実行されなければならない他の動作に基づいて為される。例えば、被要求局は、持続期間における測定の実行中の動作の通常の送受信を実行する容量を有していない可能性がある。選択が要求された持続時間の全持続時間に要求された測定を実行しないように為されたならば、要求された期間が強制的期間であるか、或は、要求された持続期間がボリティブ(bolitive)、即ち推奨されるかを、選択器が更に決定する。
【００３６】
持続期間が推奨されれば、選択器は、要求された測定がより短い期間に実行されることを選択するかを更に決定する。一具現化例において、要求メッセージの持続期間は、測定持続期間が非強制的である際、推奨された測定期間と要求局を受け入れることができる最小測定期間を識別する最小測定期間との双方を識別する。要求メッセージは両値を含むとき、要求された測定を実行することになるより短い持続期間の決定及び選択において選択器はそれら値を考慮する。何れにしても、持続時間が非強制的であるとき、選択器は要求された測定を実行することになるより短い長さの持続期間を選択することができる。選択がより短い長さの測定期間中に要求された測定を実行すべく為されれば、選択器はその測定を低減された持続期間の選択された測定期間の間に実行させる。
【００３７】
線５４は選択器によって生成された命令を表し、受信部或は送信部等の被要求局の各種部分の動作を行わせて、要求された測定を実行させる。ひとたび測定が為されたならば、リポート生成器５６は、要求局への復帰のための測定リポートを生成する。リポート・メッセージ生成器も、一具現化例において、要求された測定が被要求局で実行されない場合に、要求局への復帰のための要求拒否メッセージを生成する。更なる具現化例において、リポート・メッセージが生成されると、そのリポート・メッセージも要求された測定が為されることになる測定期間の持続長を識別する持続期間を指定する。
【００３８】
応答メッセージ或いは拒絶指示は送信部２２−２６に提供され、無線エアーインタフェイス上で規定された無線チャネルによって要求局へ復帰させられる。
【００３９】
応答メッセージは受信部１８／２４によって動作される要求局に配送され、応答メッセージ検出器３６はその応答の値に対して動作する。
【００４０】
装置３２は、要求された測定を選択された無線リソース指定の被要求局測定に要求する方式を提供する。測定期間が非強制的である場合、被要求局が要求された測定期間の全持続時間の間に要求された測定を実行できない場合、要求局及び被要求局の間での付加的なシグナリング無しに、被要求局はより短い長さの測定期間を選択することができる。そうした動作に従って従来必要とされたシグナリングオーバーヘッドの低減されたレベルと時間遅延とが提供される。
【００４１】
図３は、本発明の実施例の動作に従った、図１及び図２で示された、無線通信システム１０の動作中に生成されたシグナリングを表す、７２で全般的に示されるメッセージ・シーケンス線図を図示している。通信局は、再び、移動局或はアクセス・ポイントの何れかが要求局を形成し、アクセス・ポイント或は移動局の何れかが被要求局を形成している、要求局及び被要求局１２／１４に関して表現されている。
【００４２】
第１として、ブロック７４で指定されているように、どの測定を要求するか、どの程度の期間を要求された測定が為されることで要求するかが選択される。持続期間が強制的期間を形成するか或は推奨期間を形成するか否かついて更に選択される。要求メッセージは生成されてから、線分７６によって示されるように、被要求通信局に送信される。ひとたび被要求通信局に配送されたならば、その要求メッセージに含まれる値はブロック７８によって示されるように検出され、ブロック８２によって示されるように、要求された測定を実行すべきかを選択し、もしそうであれば、どの程度の持続期間中かを選択する。要求された測定を実行するかの選択は、少なくとも部分的には、要求された持続期間の全長の間に要求された測定を実行すべく、被要求局で有効なリソースに依存する。被要求局が要求された持続期間の全持続時間の間に要求された測定を実行できなければ、より短い長さの持続期間が可能であれば選択される。換言すれば、要求された測定持続期間が非強制的であり且つ、より短い長さの持続期間の間に要求された測定を実行すべく、リソースが被要求局で有効であれば、そのより短い長さの持続期間中にその測定を実行すべく選択が為される。その要求された測定を実行すべく選択が為されれば、ブロック８４によって示されるようにその測定が実行され、応答メッセージ、即ち、線分８６によって示されるように、測定リポートが作り出されて要求局に戻される。要求された測定が実行されない場合、ブロック８４で測定は何等為されず、応答８６がその要求の拒否である。
【００４３】
図４は、本発明の実施例の動作の方法を表す、９２で全般的に示された方法フロー線図を図示している。この方法は第１通信局で遠隔測定情報を獲得するものである。
【００４４】
第１として、ブロック９４によって示されるように、測定要求メッセージが生成される。この測定要求メッセージは測定タイプ・フィールド及び第１持続長フィールドを含むようにフォーマットされている。測定タイプ・フィールドは測定の選択されたタイプを識別するものである。第１持続長フィールドは第１測定持続期間を識別するものである。
【００４５】
次いで、ブロック９６に示されるように、測定タイプ・フィールド及び第１持続長フィールドは測定の選択されたタイプと第１測定持続期間とを識別する値で占有されている。次いで、ブロック９８によって示されるように、要求メッセージが第２通信局に送信され、そこで、その要求メッセージで要求された測定が選択された測定期間中に選択可能に実行される。
【００４６】
しばしば測定要求と関連されるシグナリングオーバーヘッド及び時間遅延は従来方式であり、回避される。
【００４７】
先行する記載は本発明を具現化する好適な例であり、本発明の範囲は必ずしもこの記載で限定されるべきではない。本発明の範囲は特許請求の範囲によって規定される。
【図面の簡単な説明】
【００４８】
【図１】図１は、本発明の実施例が動作できる例示的な無線通信システムの機能ブロック線図を図示している。
【図２】図２は、本発明の実施例が展開される通信局の集合の機能ブロック線図を図示している。
【図３】図３は、本発明の実施例にしたがって、図１に示された無線通信システムの動作中に生成されるシグナリングを表現するメッセージ・シーケンス線図を図示している。
【図４】図４は、本発明の実施例の動作の方法を挙げている方法フロー線図を図示している。
【図１】
0004852583.tif 000002
【図２】
0004852583.tif 000003
【図３】
0004852583.tif 000004
【図４】
0004852583.tif 000005